(57)【要約】  本発明は、タッチスクリーン、および送信および／または受信デバイスを含むシステムに関する。タッチスクリーンは、動作可能にデバイスに接続され、データは、タッチスクリーンから、送信および／または受信デバイスにより送信される。【特許請求の範囲】
【請求項１】
タッチスクリーンを有するデバイスと、送信および／または受信デバイスとの間のデータ伝送システムであって、タッチスクリーンが、容量性スクリーンであり、デバイスが、少なくとも１つの導電性領域を有する少なくとも１つのプレートを有し、
プレートが、動作可能なようにタッチスクリーンに接続され、少なくとも１つの領域が、アクチベートされることを特徴とするシステム。
【請求項２】
送信および／または受信デバイスが、少なくとも１つの送信手段、受信手段、１つの制御ユニットおよび／または評価ユニットを含むことを特徴とする、請求項１に記載のシステム。
【請求項３】
領域を有するプレートが、非導電性層によって被覆されることを特徴とする、請求項１または２に記載の入力手段。
【請求項４】
デバイスが、少なくとも：
ａ．１つの導電体トラック、
ｂ．１つの導電性領域、
ｃ．導電性領域を電気的に制御するための１つの制御ユニット、
ｄ．１つの内部または外部電源
ｅ．受信手段、および／または
ｆ．１つの評価ユニット
を含み、
導電性の領域が、少なくとも１つの導電体トラックを介して、制御ユニットに電気的に接続されることを特徴とする、請求項１〜３のいずれかに記載のシステム。
【請求項５】
制御ユニットが、少なくとも１つのデジタルおよび／またはアナログ回路を含み、制御ユニットは、１つまたはそれ以上の要素からなることを特徴とする、請求項１〜４のいずれかに記載のシステム。
【請求項６】
制御ユニットのデジタル回路が、電気的、電気機械的、機械的回路またはそれらの組み合わせであることを特徴とする、請求項１〜５のいずれかに記載のシステム。
【請求項７】
導電性領域が、プレート上に、個々に、一対で、または機能的な群として配置されることを特徴とする、請求項１〜６のいずれかに記載のシステム。
【請求項８】
プレートが開口部を有し、センサーが該開口部と一体化されか、または該開口部の後方に配置されることを特徴とする請求項１〜７のいずれかに記載のシステム。
【請求項９】
タッチスクリーンを有するデバイスによって伝送されるデータが、デバイスのセンサーによって受信される信号に変換され、評価ユニットの手段によってデータに再変換されることを特徴とする、請求項１〜８のいずれかに記載のシステム。
【請求項１０】
データの伝送が、一方向または双方向であることを特徴とする、請求項１〜９のいずれかに記載のシステム。
【請求項１１】
入力および／または出力システムが、そのデバイスに、および／またはそのデバイスを含むデバイスに、一体化されていることを特徴とする、請求項１〜１０のいずれかに記載のシステム。
【請求項１２】
システムが、他のデータ伝送施設および／またはデータ処理システムと、データ通信するための手段を有することを特徴とする、請求項１〜１１のいずれかに記載のシステム。
【請求項１３】
デバイス自身が、データ処理システムであり、および／またはデータ処理システムに接続されることを特徴とする、請求項１〜１２のいずれかに記載のシステム。
【請求項１４】
デバイスが、少なくとも１つの導電性領域を有する少なくとも１つのプレートを有し、
下記工程：
ａ．導電性領域を有するプレートにタッチスクリーンを近づけること、
ｂ．デバイスから電気信号をタッチスクリーンに送ること、即ち、容量性タッチスクリーン、特にタッチスクリーンの電極を、プレートの導電性領域との容量性カップリングの手段により、作動させること、および
ｃ．タッチスクリーン上でタッチすること
を含むことを特徴とする、請求項１〜１３のいずれかに記載のシステムを含むデータ伝送方法。
【請求項１５】
タッチスクリーンを有するデバイスと、送信および／または受信デバイスとの間の一方向または双方向のデータ伝送用の請求項１〜１３のいずれかに記載のシステムの使用であって、
容量性カップリングが、デバイスとタッチスクリーンとの間に生じ、このカップリングにより、タッチスクリーンを有するデバイス上でのデータ入力が行われることを特徴とする、システムの使用。
【請求項１６】
システムが、許可および／または認証のために使用される、請求項１５に記載の使用。
【請求項１７】
ゲーム用の図、識別、顧客カード、エンジン始動ロック、カーシェアリング／自転車シェアリング用アクセス許可、アクセス許可、乱数発生器、ＩＣカード、車のキー、キー、トランプ、コレクション用カード、物流、物の追跡、デジタル分類体系、カテゴリー化、デジタルファイルカードシステム、入り口、入場券、現実的にも仮想的にも閉じた領域へのアクセス、仮想内容、マーケティング用途、カスタマー制限、ラッフルおよびくじ引き、会員身分証明書、定期券、支払い用途、信頼性のある証明書、証明書、偽造防止装置、コピー防止、署名、配達受領書、コンピュータゲーム内の品物、音楽／ビデオ／ｅ−ブックダウンロード、ボーナススタンプ／プログラム、デバイスコントローラーまたはギフト券を含む群から選択される用途のための、請求項１５または１６に記載の使用。
【発明の詳細な説明】
【技術分野】
【０００１】
本発明は、タッチスクリーンを有するデバイスと、送信および／または受信デバイスとの間のデータの伝送（または通信）のためのシステムに関する。本発明は、システムの使用にもデータ伝送の方法にも関する。
【背景技術】
【０００２】
デジタル時代において、スマートホンまたは他のポータブル電子デバイスが、急速に、従来のものとは異なるさらなる役割を担う必携のものとなってきている。デバイスの本質的な役割は、データ、例えばコンタクトデータ、アクセスデータ、告知、さらに例えば、銀行アカウントを移動しながら管理できるようにするための財務データの管理である。また、グッズやサービスの購入にもデバイスを用いることが可能である。
【０００３】
従って、デバイスとの通信を提供し、信頼性があり、速く、電子デバイスとの複雑なデータ交換を達成するデバイスであるデジタルコンパニオンの提供が必要とされている。データ交換は、電子データ処理の用語であり、特に、電子デバイス、例えばコンピュータ、システム要素またはプログラム間のデータの伝送を示す。本明細書において、伝送は、ケーブルによるものではなく、ワイヤレスによるものである。
【０００４】
従来技術において、所謂「近距離無線通信（near field communication（ＮＦＣ））は、近距離、換言すると、数センチメートルの短い距離でのデータの伝送の標準化された基準を意味している。
【０００５】
ＮＦＣによるデータ伝送は、ほとんどの場合、直感的なものであり、ＮＦＣ可能なデバイス、例えばＮＦＣ携帯電話を、単純に、情報が格納された別のＮＦＣデバイスまたはデータ媒体（例えば、所謂、ＮＦＣタグ）に近づけることを意味する。この後、データ伝送、および場合によっては関連するアプリケーションは、自動で、および／またはボタンを押すことによるブリーフ確認の後、開始される。
【０００６】
この状況下で、４２４ｋＢｉｔ／秒の最大伝送速度を達成することができる。データ伝送は、ＮＦＣによりなされ、かくして、ブルートゥース（Bluethooth）またはＷＬＡＮのような関連技術の場合よりは遅いが、セキュリティーの問題では決定的な利点を与える。これにより、ＮＦＣは、キャッシュレス支払いシステムまたはアクセスコントロールのベースとなっている。
【０００７】
データは、一方向および双方向の両方に伝送することができ、換言すれば、接続されたデバイスは、両方向にデータを交換することができ、かくして、やりとりを行うことができる。ＮＦＣ技術は、例えば、種々のタイプの伝送を行い、デジタル内容の交換を行い、または、電子デバイスを他のデバイスと接続することを可能にする。
【０００８】
原理的には、ＮＦＣデータ伝送には異なる３種のモードがあり、区別されている：
・ＮＦＣデバイスによる、受動メモリ（passive memory）に格納された情報の読み出し。例えば、保管用のポスターに取り付けられた、およびＮＦＣ携帯電話のリマインダーとしのＮＦＣタグからのコンサートの日程の伝達。
・能動（active）ＮＦＣ媒体による、ＮＦＣターミナルからの情報の読み出し。例えば、入場口でのＮＦＣ端末による、ＮＦＣ携帯電話に格納された電子コンサートチケットの読み出し。
・２つのＮＦＣデバイス間のやりとりでのデータの双方向交換。
【０００９】
さらに、取引操作に対する種々の保護方法が、従来から知られている。銀行取引の電子操作において、特にＰＩＮ／ＴＡＮ法の使用が、異なる形態で適用されている。この方法においては、ユーザーは、ブラウザを用いてＰＩＮにより銀行のサーバーにログインし、好ましくは暗号化により保護された対応データリンクを介して行われるべき取引の取引データを伝達する。
【００１０】
ＷＯ２００８／０４６５７５Ａ１には、ポータブルデータ媒体を用いたアプリケーションの実行方法が記載されており、アプリケーションは、データ媒体の介在により第１および第２ターミナルを活用して実行される。特に、この方法は、電子銀行取引を行うのに用いることができる。この方法で行われる通信は、ポータブルデータ媒体の介在により行われる。この方法において、取引データは、最初に第１ターミナルにより入力され、第１ターミナルは、具体的にはパーソナルコンピュータである。次に、データは、ポータブル媒体に伝送され、ポータブル媒体はデータを第２ターミナル、例えば携帯電話に送る。次いで、取引データが、データ媒体から取引を行うサーバーに伝送されるとすぐに、第２ターミナルでの入力により、ユーザーの取引が可能になる。ＵＳ２００３／００８７６０１Ａ１には、携帯電話とＰＣ間の安全なデータ伝送に関する、２つのインターフェースを有するセキュリティーの使用が記載されている。この方法においては、例えばブルートゥースまたは赤外線通信により、非接触型のインターフェースを介して携帯電話との通信が行われ、接触型のインターフェースを介してＰＣとの通信が行われる。
【００１１】
さらに、ポータブルデータ媒体は、チップおよびデータ媒体を備えることができ、パーソナルデータを、このチップに格納することができることが従来技術で開示されている。しかしながら、データの書き込みは、データ媒体の外部に設置された書き込み設備から、内蔵されたチップへの適当なデータ通信リンクによってのみ可能である。これに関連して、ポータブルデータ媒体の外側に接触領域を設置することが知られており、これにより、データ媒体またはパーソナルデータ（例えば、パーソナライズされたデータ）を、データ媒体のチップに書き込むことができる。このようなデータ−媒体−固有データまたはパーソナライズ化されたデータは、データ媒体の多様性に適した、データ−媒体−データまたはヒト−個人データは存在しないので、特に、データ媒体の初期化の間に稼働できない、ヒトの個別化データまたはデータ媒体構成等に関連する。このために、データ−媒体−データまたはヒト個人データは、プラスチックの基板に完全に内蔵されたチップに、データ媒体の接触領域を介して書き込まれる。
【００１２】
このような接触領域は、見た目に目立つものであり、データ媒体の生涯に亘ってチップ中の極秘データへの基本アクセスを可能にし、このアクセスは、操作および調査の試みに利用され得る。加えて、外的影響、例えば静電電圧または放電が、直接チップに流れ、または、場合によってはそれを破壊することから、接触領域は、チップの寿命を短くする。同様に、チップに書き込まれたパーソナライズデータは、光学的パーソナライズ化の間に困難を伴って読みだされるので、かかる電子的にパーソナライズされたデータ媒体、即ち、パーソナライズ化データを与えられたデータ媒体は、光学的なパーソナライズ化、即ち、可視化した個別化レタリングまたはエンボス加工に付すことが容易ではないという問題が生じる。
【００１３】
例えば、ＤＥ１９５００９２５Ａ１は、非接触型データ伝送用のチップカードを開示しているが、これはその外部に接触領域が備わっており、上記したような個別化に関連する不利益が生じる。
【００１４】
従来技術において、多くの電子デバイスが、指または入力デバイスで操作することができる接触−感受性スクリーン（タッチスクリーン）を有する。タッチスクリーンは、今日、生活におけるほぼすべての分野において見られる。その直感的な操作性によって、それらは、特に不慣れなユーザーに対して日常的な世界においてテクニカルデバイスの容易な操作を促しており、電子デバイスを操作するために用いることができる。換言すれば、それらは、日常において、そしてタッチスクリーンが用いられる産業において、例えば機器の制御のために、あるいは、それらがゲーム機またはアーケードゲームにおいて用いられるゲーム産業の分野において用いることができる。タッチスクリーンのさらなる例は、スマートホン、携帯電話、ディスプレイ、タブレットＰＣ、タブレットノートブック、タッチパッドデバイス、グラフィックタブレット、テレビ、ＰＣＡ、ＭＰ３プレイヤーおよび／または他の入力デバイスを含む。
【００１５】
タッチスクリーンは、また、入力デバイスの一要素であってもよい。かかる入力デバイスは、特に、スマートホン、ＰＤＡ、タッチディスプレイまたはノートブックにおいて用いられている。
【００１６】
一般的に、センサースクリーンとも称されるタッチスクリーンは、用いられる分野に応じて、指または適当なタッチペンを用いるユーザーの接触に反応する、スクリーンに適用される接触感受性層として理解される。タッチスクリーンは、直接的な作用を有する入力デバイスであり、換言すれば、入力は、直接的に表示スペースになされ、例えば、マウスまたはキーボードのようにディスプレイから離れていない。加えて、タッチスクリーンとの位置決めは制約がなく、換言すれば、所定の位置に依存していない。その結果、タッチスクリーンは、スクリーンが、同時にユーザーインターフェースとして機能し、外部入力デバイスによる迂回を選択する必要がないので、非常に直感的な操作を提供する。
【００１７】
タッチスクリーンは、非常に広範に用いられている操作、抵抗および容量テクノロジーの異なる原理に基づいている。抵抗式タッチスクリーンは、例えば、２つの対向した透明導電性ＩＴＯ（インジウムスズ酸化物）層からなり、これはスペーサードットと称される種々の絶縁センサーにより互いに離隔されている。内部ＩＴＯ層は、例えば、固体ガラススクリーン上に位置し、外層は、柔軟なひっかき耐性を有するプラスチック層により保護されている。
【００１８】
制御デバイスにより、電圧は、導電性層に交互に印加され、例えば、電圧勾配が、内部層のＸ方向に生じ、例えば電圧勾配が、外部層のＹ方向に生じる。スクリーンがタッチされるとすぐに、上部層は、下部に向かって押され、かくして、電気的接触が確立され、電圧移動層でのそれぞれの無電圧層により、電圧の分配が形成され、電圧移動層での接触部の位置に応じてその規模が生じる。このことにより、接触部の対応するＸおよびＹの座標を、計算することができる。
【００１９】
容量テクノロジーにおいては、対照的に、他の導電性物質と並列に伸長する非常に多数の導電体トラックが、その都度、例えば、空間的に別個の平面、例えば、箔またはガラス基板の上部側および下部側に施される。１つの平面の水平導電体トラックと他の平面の垂直導電体トラックの交差する位置で、静電容量が形成される。
【００２０】
１つの平面の導電体トラック（送信ライン）の電気的アクティブ化（electrical activation）は、第二の平面導電体トラック（受信ライン）上に測定可能なシグナルを発生させる。ユーザーによる、例えば指によるシステムと接触は、送信ラインと受信ラインの間の容量性カップリングに影響を与え、受信ラインのシグナルは荷電される。続いて、得られたシグナル変化が測定され、それぞれの送信および受信ラインにより、接触点の座標が決定される。シングルタッチとは別に、マルチタッチ検出が可能であり、複数の指または入力要素が、タッチイベントを生じさせることができる。
【００２１】
さらに、赤外線技術、音波技術または分散信号技術を用いるタッチスクリーンが、知られている。
【発明の概要】
【発明が解決しようとする課題】
【００２２】
従って、本発明の目的は、従来技術の不利点または欠点を有しない、携帯デバイスによる安全なデータ伝送を提供することである。
【００２３】
本発明の目的は、独立請求項により達成される。好ましい態様は、下位請求項に見られる。
【課題を解決するための手段】
【００２４】
タッチスクリーンを有するデバイスと送信および／または受信デバイス間でのデータの伝送システムが提供され、タッチスクリーンは、容量性スクリーンであり、デバイスは、少なくとも１つの導電性領域を有する少なくとも１つのプレートを有し、プレートは、動作可能なようにタッチスクリーンに接続されるか、またはされており、少なくとも１つの領域は、アクティブ化されるか、またはされている。プレートは、特に、本発明においては、媒体、柔軟または硬い平面基板または基板層として示され得る。この用語は、本明細書において、同義語として用いられ、「プレート」はまた、媒体、柔軟なまたは硬い平面基板または基板層を示す。送信および／または受信デバイスは、例えば、タッチスクリーン有するデバイスによりアクティブ状態にされることが好ましく、データ伝送は、アクティブ化の後に行われる。アクティブ化は、例えば、光学的、音響的、電気的、触覚的シグナルまたは手段により行うことができる。
【００２５】
本発明のシステムは、従来技術にある不利点および欠点を有しておらず、タッチスクリーンを用いることにより効果的で特に安全なデータ伝送を提供することは非常に驚くべきことであった。データの伝送速度は、特に驚くべきものであった。これは、ユーザーの待ち時間を大幅に小さくすることを可能にし、操作性を大幅に改善する。データ伝送は、有利には、一方向、または双方向に行われる。送信および／または受信デバイスは、データを、タッチスクリーンに、またはタッチスクリーンを有するデバイスに送信し、および／またはデータをそれから受信する。本発明において、一方向は、具体的には、データ交換を、１つの方向でのみ行うことを意味し、換言すれば、送信および／または受信デバイスのいずれかから、タッチスクリーンまたはデバイスに向かって行うことを、またはその逆を意味する。対照的に、双方向は、本発明において、具体的には、データ交換が、好ましくは両方向に向かって同時にまたは相次いで行うことを意味する。
【図面の簡単な説明】
【００２６】
【図１】図１は、好ましいシステムを示す。
【図２】図２ＡおよびＢは、デバイスとデバイスの間の相互作用を示す。
【図３】図３は、プレートの断面図を示す。
【図４】図４は、デバイス中に分散した多くのセンサーを有する送信および受信デバイスを示す。
【図５】図５は、プレート上に配置された多くの導電性領域を有するシステムを示す。
【図６】図６ＡおよびＢは、一方向および双方向のデータ交換を示す。
【図７】図７は、被覆層を有する好ましい送信および／または受信デバイスを示す。
【図８】図８は、好ましいデータ交換を示す。
【図９】図９は、データ交換の好ましいシーケンスを示す。
【発明を実施するための形態】
【００２７】
本発明において、データは、文字により構成されるか、連続関数であり、公知のまたは暗黙の了解により、主に処理の目的およびその結果に関する情報を意味する。データまたは情報アイテムは、（機械的に）読み取り可能であり、かつ処理可能であり、通信、解釈または処理に用いることができる。情報技術の当業者であれば、「データ」により意味されるものが何かは理解できる。
【００２８】
従来、タッチスクリーンは、エリアセンサーとも言われている。これらは、指での接触による入力を可能にする。
【００２９】
本発明において、「動作可能に接続する」は、具体的には、タッチスクリーンと送信および／または受信デバイス間でデータを交換できるように、少なくとも一時的に、送信および／または受信デバイスを、タッチスクリーンに接続する、または連結することを示す。動作可能に接続される要素の例としては、例えば、操作または機能により他の要素と接続される、白熱電球およびライトのスイッチが挙げられる。最も単純な意味では、「動作可能に接続する」は、ある物が、少なくとも一時的に別の１つの要素に機械的に接続されることを意味する。さらに、例えば、エネルギーおよび／または情報が、伝送されるように接続することができる方法で（例えば、機械的な接続なしに）、例えば電気的に接続され、即ち、２つの要素が、所望の効果を与えるような方法で、配置または連結される（他の要素に）。
【００３０】
タッチスクリーンまたは少なくともその一部分は、送信および／または受信デバイスのプレートと接触させられる。本発明においては、「接触させられる」は、好ましくは、プレートとタッチスクリーンの間に自由な空間がないことを意味する。本発明において、「接触させられる」は、特に、送信および／または受信デバイスが、タッチスクリーンと機能的に相互作用し、好ましくは自由な空間がない状態を意味する。要するに、プレートは、好ましくは、タッチスクリーンに接触している。しかしながら、プレートとタッチスクリーン間での直接的な接触がなく、データ伝送を行うのに十分な程度に近づいていることもまた好ましい。これは、具体的には、中間層および／または基板が、プレートとタッチスクリーンの間の直接接触を妨げる場合がある。
【００３１】
プレートは、少なくとも導電性領域を受け入れるためのレセプタクル（receptacle）として機能し、いずれの形態（例えば、角形、丸形、長方形、正方形など）を有し得る。プレートの材料は、好ましくは、プラスチック、紙、厚紙、木材、箔、複合材、ガラス、セラミック、回路基板材料、布、革またはそれらの組み合わせからなる群から選択される。プレートは、具体的には、非導電性物質からなり、硬いものが好ましい。透明および／または不透明な材料を用いることができる。
【００３２】
好ましくは、例えば、特に少なくとも１つの導電性領域を有するプレートは、プレートまたは一般的には送信および／または受信デバイスを汚れおよび応力から保護する非導電性層または被覆層により覆われている。さらに、層または被覆層は、タッチスクリーンの傷を受けやすい領域にダメージを与えず、これを保護するように、設計することができる。被覆層は、好ましくは、非導電性物質、例えば、紙、プラスチック、紙、木材、布、発泡体、ゴムおよび／またはプレートと同じ物質から作られ、カラー層、ラッカーおよび／またはワックス層が印刷または被覆されていてもよい。被覆層は、好ましくは、接着剤の層、紙層、カラー層、ラッカー層および／または箔であり得る。当然ながら、上記のものの組み合わせを適用することもできる。
【００３３】
本発明の明細書において、電極プレートとも称される送信および／または受信デバイスのプレート上には、少なくとも１つの導電性領域が設置されている。この領域の形状は、任意のものであってもよく、異なる構成に設計されていてもよい。かくして、例えば、丸形、角型または楕円型の領域、あるいはその組み合わせ、特に、円環上の領域が、プレート上に存在する。複合的な幾何学形状もまた採用することができ、あるいは複数の別個の領域を、他のものと組み合わせることができる。プレート上には多くの導電性領域を設置することが好ましく、この領域は、好ましくは、別個に、一対で、あるいは機能的な群としてプレート上に設置される。好ましくは、領域の形状、配向、数、配置、距離および／または一は、変更することができる。あるレイアウトで作られた領域は、構造化領域として、当業者に知られている。この領域の構造化は、各製造工程において行うことができる。
【００３４】
また、多くの導電性領域を、１つまたはそれ以上の配列（array）で、プレート上に配置することが好ましく、１つの配列または多くの配列は、別のものに直接的に電気的に接続されていない導電性領域により提供される。本発明において、配列（array）は、（プレートの）非導電性基板の上の導電性領域の配置を意味する。
【００３５】
また、導電性領域は、別個に、一対でまたは機能的な群としてプレート上に配置することが好ましい。本発明の明細書において、機能的な群は、特に、タッチスクリーンまたはタッチスクリーンを有するデバイスとの相互作用の影響を選択的に変更するために有利に用いられる領域の配置を示す。これは、例えば、接触イベントを生じさせる相互作用を、減少させる、増加させる、発生させる、振動させる、交互に変更させる、表示するまたは処理すること、即ち、接触点の生成、消去および／または変更を含む。本明細書において、「消去」は、接触位置を示す条件がもはや満たされていない、例えば、閾値よりも下になっていることを示す。これらの接触イベントは、驚くべきことに、相互作用を、タッチスクリーンまたはタッチスクリーンを有するデバイスが、データおよび／またはシグナルの形態で、分析可能なようにすることができる。タッチスクリーンおよび入力手段の間の相互作用は、電気的に制御され、外部の影響と同じである（例えば、外部の位置および距離は、有意には変化しない）。
【００３６】
導電性領域は、有利には、付加的な処理手段、例えば、印刷、スタンプ、ＰＶＤおよびＣＶＤ処理、バルバニ処理または基板処理、レーザー構造、はけ塗り、粉砕等により、設置することができる。半付加的な方法（semi-additive method）、例えば、非導電性基板の上の全面に物質を塗布した後の、選択的エッチング処理もまた、有利であり得る。一の具体例において、導電性領域は、プレートに転写することにより設置してもよい。この場合、転写箔処理、具体的には熱転写法が特に好ましい。かかる方法は、当業者に知られている。当然ながら、導電性領域を施すすべての他の方法もまた、用いることができる。
【００３７】
少なくとも１つの導電性領域が、好ましくは、プレートに、構造的に設置される。本発明において、「構造的」は、特に、導電性領域が、プレートを完全には覆っていないが、部分的に覆っていることを意味する。導電性と構造的適用とを関連付けることにより、驚くべきことに、プレートの導電性領域とタッチスクリーンとの選択的相互作用を、達成することができる。
【００３８】
導電性層は、好ましくは、金属層、金属粒子を含有する層、導電性粒子を含有する層、導電性ポリマー層、またはそれらの層の少なくとも１つの組み合わせである。一般的に、導電性であるいずれの物質も、用いることができる。さらに、金属と炭素の化合物からなる有機金属材料を用いることができる。本発明において、「金属」は、特に、周期表の非金属ではなく、ベリリウム（第２族）からポロニウム（第１６族）までの斜めに分割するラインで左側にある化学的元素、および金属の特性を有するそれらの合金および金属間化合物（ラーベス相、ホイスラー相、ジントル相、ヒューム−ロザリー相、ＮｉＴｉ、Ｃｏ５、Ｎｂ３ＳｎまたはＮｉ３Ａｌを含む）である。金属は、他の中でも、アルミニウム、鉛、クロム、鉄、金、インジウム、コバルト、銅、マグネシウム、マンガン、モリブデン、ナトリウム、ニッケル、銀、チタン、タングステン、亜鉛またはスズを含む。さらに、金属酸化物、例えば、インジウムスズ酸化物を用いることができる。これは、電気的に導電性であるが、透明であるので、特に有利である。
【００３９】
本発明の明細書において、ポリマーとは、特に、一般に重合の程度、分子量および鎖長（ポリマー分子）は異なるが、化学的に均一な構造を有する巨大分子の集合体からなる物質を示す。ポリマーは、好ましくは、導電性である。かかる均一なポリマー含有物質は、すべての巨大分子が、好ましくは、同じように構成されており、その鎖長（重合度）のみが異なる。かかるポリマーは、ポリマーホモログとも呼ぶことができる。ポリマーは、無機ポリマー、有機金属ポリマー、完全または部分芳香族であるポリマー、ホモポリマー、コポリマー、バイオポリマー、化学変性ポリマーおよび／または合成ポリマーからなる群から選択することができる。パラフェニレン、ポリアセチレン、ポリピロール、ポリチオフェン、ポリアニリン（ＰＡＮＩ）およびＰＥ−ＤＯＴから選択されるポリマーが、特に好ましい。
【００４０】
導電性物質は、さらに、煤またはグラファイト粒子である。煤は、炭素含有物質の蒸気の不十分燃焼または熱分解により形成する炭素を示す。煤は、粉末状または顆粒状で用いられる。また、煤調製物、例えば、煤が均一に分散された、液体、糊状または固体煤溶媒濃縮物であってもよい。製品および原料に応じて、煤は、炭素の他に、水素、窒素または酸素を含み得る。煤は、優秀な顔料特性を示し、溶媒への非溶解性、ほとんどの化学物質に対する耐性、耐光性、高い色の深さと色の濃さを有する。本発明において、グラファイトは、炭素の特に安定な形態を示す。その層様構造のために、グラファイトは優れた導電性を示す。
【００４１】
少なくとも１つの導電性領域は、好ましくは、タッチスクリーンのインターフェースであり、好ましくは、その空間的な近辺に配置される。本発明において、「空間的な近辺」は、特に、直接接触または間接接触があり、少なくとも導電性領域が、タッチスクリーンと機能的な相互作用を有することを示す。この相互作用は、種々の物理的動作原理、例えば、容量性、誘導性、電磁気または電気的なものまたはそれらの組み合わせにより達成される。それぞれの相互作用は、実際に存在するタッチスクリーンのタイプに依存し、即ち、タッチスクリーン技術に依存する。導電性領域の機能は、好ましくは、タッチスクリーンにおける少なくとも１つの接触イベントのトリガーである。本発明において、接触イベントは、特に、タッチスクリーンでのイベントのトリガーを示す。この方法により、例えば、データは、送信および／または受信デバイスからタッチスクリーンまたはタッチスクリーンを有するデバイスに伝送され得る。
【００４２】
送信および／または受信デバイスは、少なくとも１つの送信手段、１つの受信手段、１つの制御ユニットおよび／または評価機器を含むことが好ましい。この送信手段により、データを、送信デバイスから、プレートの少なくとも１つの導電性領域を介して、タッチスクリーンに送ることができる。これにより、安全かつ速いデータ伝送を行うことができる。非常に驚くべきことには、データ伝送は、いずれのタイプのタッチスクリーンに対しても行うことができ、送信および／または受信デバイスの普遍的な適用可能性が確保される。
【００４３】
好ましい送信および／または受信手段は、ブルートゥース、ＷＬＡＮまたは赤外線通信からなる群から選択される単距離無線工学（ＷＰＡＮ−無線パーソナルエリアネットワーク）の手段、および、特に容量性および／または光学的な方法に関する手段を含む。好ましい受信手段は、好ましい抵抗性センサー、誘導センサー、差動変圧器、誘導トラベルセンサー、渦電流センサー、誘導近接スイッチ、磁場センサー、磁気弾性センサー、容量センサー、圧電性センサー、光電子センサーまたは電気化学センサーを含む。
【００４４】
送信および／または受信手段は、送信および／または受信デバイスにおいて、異なる位置に、組み入れることができる。例えば、プレートは、送信および／または受信手段、特にセンサーがその中に組み込まれる開口部または凹部を有することが好ましい。プレートが、その後ろにセンサーが配置される開口部を有することも、好ましい。センサーの好ましい配置により、タッチスクリーンと送信および／または受信デバイス間での、速くて、効果的なデータ伝送を、確立することができる。送信および／または受信手段は、それらの独自の電源を有していてもよく、または、送信および／または受信デバイスの電源に接続されていてもよい。
【００４５】
従来技術には、厚みが小さく、下部（underground）に柔軟に設置することができる薄膜センサーがある。かかる送信および／または受信手段、または一般的には、厚みが薄い送信および／または受信手段は、プレート上または裏に配置され、その結果、送信および／または受信デバイスの総厚みを、相当に減少させることができる。
【００４６】
送信および／または受信デバイスは、好ましくは、本発明においてデータ通信手段と称される多くの送信および／または受信手段を有し得る。
【００４７】
好ましくは、システムは、タッチスクリーンを有するデバイスと送信および／または受信デバイス間の一方向または双方向伝送に用いられ、デバイスとタッチスクリーン間に容量性カップリングが存在し、これにより、タッチスクリーンを有するデバイス上でのデータ入力が行われる。この送信および／または受信手段により、データは、送信および／または受信デバイスからタッチスクリーンに、またはタッチスクリーンを有するデバイスに伝送され得るが、後者により受信することもできる。即ち、好ましい態様において、データの双方向交換を、タッチスクリーンまたはタッチスクリーンを有するデバイスと送信および／または受信デバイス間で行うことができる。このために、送信および／または受信デバイスは、好ましくは、受信手段により受信したシグナルを処理可能なデータに変換する評価ユニットを有する。好ましくは、タッチスクリーンを有するデバイスにより伝送されたデータは、デバイスのセンサーにより受信されるシグナルに変換され、評価電子機器の手段によりデータに戻される。本発明において、評価ユニットは、送信および／または受信デバイスに存在し、受信シグナルを処理し、生成したデータを解釈するのに用いられる電気的および電子的手段を示す。
【００４８】
好ましい態様において、送信および／または受信デバイスは、少なくとも：
ａ．１つの導電体トラック、
ｂ．１つの導電性領域、
ｃ．導電性領域を電気的に制御するための１つの制御ユニット、
ｄ．１つの内部または外部電源
ｅ．受信手段、および／または
ｆ．１つの評価ユニット
を含み、
導電性の領域が、少なくとも１つの導電体トラックを介して、制御ユニットに電気的に接続される。
【００４９】
少なくとも１つの導電性領域は、プレート上にパターンとして配置され、少なくとも１つの導電体トラックにより接続され、これは、少なくとも１つの領域の、制御ユニットとの、電気的な相互接続に用いられる。
【００５０】
これにより、領域を、タッチスクリーンへのデータの送信の間に、制御ユニットにより電子的に作動させることができ、タッチスクリーン上での接触イベントをトリガーすることができる。タッチスクリーンを有するデバイスは、接触イベントを、評価ユニットによりデータに変換することができる。送信および／または受信デバイスは、好ましくは内部または外部の電源からその電気出力を受け取る。電源は、例えば、バッテリー、蓄電池、太陽電池、圧電素子、コンデンサまたはそれらの組み合わせであり得る。電源は、制御ユニットに電気的に接続されており、制御ユニットに電力を供給する。また、好ましくは、電源は、外部の電源系との接続により、充電可能、交換可能または置換可能である。このため、電源は、対応する接続端子を有する。しかしながら、好ましくは、対応する電源と接続するために対応する端子のみを有すればよいように、送信および／または受信デバイスはまた、外部電源から電力を受け取ることができる。
【００５１】
電源は、好ましくは、光源を利用して電力を供給することができる太陽電池を備えることができる。このために、人工または天然の光源を利用することができる。また、好ましくは、送信および／または受信デバイスに電力を供給するために「環境発電」を利用してもよい。例えば、電力は、デバイスと接触するタッチスクリーンを利用することにより提供することもできる。デバイスはまた、誘導手段（例えば、誘導コイル）により、電力を得ることもできる。
【００５２】
例えば、各導電性領域は、導電体トラックの形態の、制御ユニットへのダウンリード線を有する。換言すれば、すべてのダウンリード線は、制御ユニット（例えば、外部アナログ回路での制御チップ）または多くの制御ユニットにおいて一緒になっている。従って、領域は、制御ユニットを介してのみ他に電気的に接続されており、領域間の直接的な電気的接続は存在しない（制御ユニットによるものを除いて）。好ましくは、導電体トラックは、導電性物質から形成され、好ましくは、電気的接続を提供する。
【００５３】
送信および／または受信デバイスの制御ユニットは、好ましくは、少なくとも１つのデジタルおよび／またはアナログ回路を含み、制御ユニットは、１つまたはそれ以上の要素から成る。デジタル回路は、好ましくは、マイクロコントローラーであるが、論理ゲートのＡＳＩＣ、ＦＰＧＡまたは個別のデジタル回路、半導体素子、電気機械または機械的素子またはそれらの組み合わせであってもよい。デジタル回路は、伝送し、デジタルまたはアナログシグナルに変換されるデータまたはコードを生成するのに用いられ、少なくとも１つの導電性領域への少なくとも１つの電気的接続（本発明において、電極とも称される）により、直接またはアナログ回路により送られる。アナログ回路は、信号整形に用いられ、例えば、高域フィルター、低域フィルター、直接電圧減結合の要素、動作点設定（バイアス電圧）または電荷ポンプを含み得る。好ましくは、１つの導電性領域への導電性接続の各々について、同様のアナログ回路が存在するが、導電性領域へのそれぞれの接続について、別の設計のアナログ回路が存在してもよい。制御ユニット上に機械的装置を設置することが好ましく、これは、それ自体、高度な実体、例えばユーザーにより制御され、導電体トラックの電橋（リレー構成）を開閉する。
【００５４】
制御ユニットのデジタル回路が、電気的、電気機械的、機械的回路またはその組み合わせである場合が有利である。
【００５５】
かくして、本発明はまた、タッチスクリーンを有するデバイスと、送信および／または受信デバイスとの間の一方向または双方向のデータ伝送用のシステムの使用であって、容量性カップリングが、デバイスとタッチスクリーンとの間に生じ、このカップリングにより、タッチスクリーンを有するデバイス上でのデータ入力が行われることを特徴とする、システムの使用に関する。この方法により、タッチスクリーンから受信デバイスへデータを送信し、送信デバイスからタッチスクリーンにデータを送信することが可能になる。かくして、このシステムは、多くの方法に用いることができ、好ましくは許可および／または認証に用いることができる。
【００５６】
システムが、広範囲における用途に好ましく用いることができることは、驚くべきことである。これらの用途は、限定するものではないが、例えば、ゲーム用の図、識別、顧客カード、エンジン始動ロック、カーシェアリング／自転車シェアリング用アクセス許可、アクセス許可、乱数発生器、ＩＣカード、車のキー、キー、トランプ、コレクション用カード、物流、物の追跡、デジタル分類体系、カテゴリー化、デジタルファイルカードシステム、入り口、入場券、現実的にも仮想的にも閉じた領域へのアクセス、仮想内容、マーケティング用途、カスタマー制限、ラッフルおよびくじ引き、会員身分証明書、定期券、支払い用途、信頼性のある証明書、証明書、偽造防止装置、コピー防止、署名、配達受領書、コンピュータゲーム内の品物、音楽／ビデオ／ｅ−ブックダウンロード、ボーナススタンプ／プログラム、デバイスコントローラーまたはギフト券を含む。
【００５７】
特別な態様において、システムはまた、デバイスの揮発性または不揮発性メモリに格納されているデータを、タッチスクリーンを有するデバイスを介して、デバイスに送信することにより、格納デバイスとして用いることができる。タッチスクリーンを有するデバイスはまた、有利には、制御ユニットに、デバイスに格納したデータを、タッチスクリーンを有するデバイスに順次送信するデバイスに、データを送信することによりデバイスからデータを呼び出すことができる。
【００５８】
タッチスクリーンと送信および／または受信デバイス間の単純で速い相互作用の確立のために、送信および／または受信デバイスでの、タッチスクリーンまたはタッチスクリーンを有するデバイスの最適な位置決めを保証するための、送信および／または受信デバイスのプレート、被覆層または送信および／または受信デバイスそれ自体が、視覚的、聴覚的、触知的、触覚的または機械的位置決め手段を有する場合が、有利であり得る。正確または間違った位置決めは、単純に視覚的、聴覚的、触知的または触覚的手段によりユーザーに伝えられる。
【００５９】
好ましい態様において、入力および／または出力システムは、送信および／または受信デバイスおよび／またはこのデバイスを含むデバイスに組み入れられる。これは、キーボード、マウス、ジョイスティック、グラフィックタブレット、デジタルペン、ゲームパッド、スキャナー、カメラ、ＭＩＤＩキーボード、プリンターおよびディスプレイから成る群から選択される。入力システムは、送信および／または受信デバイスの操作を単純化することができる。入力および／または出力システムを、送信および／または受信デバイスに接続するために、後者は、従来の端子を有することもでき、それにより、迅速で単純な方法で接続を確立することができる。出力システムの手段により、それぞれ、タッチスクリーンまたはタッチスクリーンを有するデバイスと、送信および／または受信デバイス間のデータ交換を、観測または文書化することができる。例えば、データ交換の進捗は、デバイスに接続されるディスプレイ上に表示することができる。好ましい態様において、ディスプレイは、送信および／または受信デバイスの筐体に組み入れることができる。ディスプレイはまた、タッチスクリーンとして構成され得、これは入力および出力システムとして機能し得る。
【００６０】
好ましい態様において、システムは、他のデータ伝送デバイスおよび／またはデータ処理システムとのデータ通信手段を有していてもよい。データ処理システムは、特に、本発明において、電子データ処理システムと称され、好ましくはコンピュータ、メインフレームコンピュータ、サーバーシステム、データーベースシステム、情報システム、処理コンピュータ、デジタル測定システム、ＤＳＰシステム、マイクロコントローラーシステム、コンパクトコントローラー、内蔵システム、携帯電話、スマートホン、タブレット、デジタル応答機、ビデオ会議システムおよびコミュニケーションシステムを含む。データ通信のための手段は、送信および／または受信デバイスの、タッチスクリーンを有するデバイスとの、および他のデータ伝送デバイスおよび／またはデータ処理システムとのデータ伝送を提供し、接続は、ケーブルレスまたはケーブル接続により、例えば、無線または光により確立される。しかしながら、デバイス自体が、データ処理システムを意味し、および／またはデータ処理システムに接続されることもまた、好ましい。
【００６１】
このシステムにより、携帯タッチスクリーンを有するデバイスと送信および／または受信デバイス間のワイヤレス通信／データ伝送が、驚くべきことに可能になる。従って、本発明はまた、容量性タッチスクリーンを有するデバイスと送信および／または受信デバイス間のデータ伝送の方法であって、デバイスが、少なくとも１つの導電性領域を有する少なくとも１つのプレートを有し、下記工程：
ａ．導電性領域を有するプレートにタッチスクリーンを近づけること、
ｂ．デバイスから電気信号をタッチスクリーンに送ること、即ち、容量性タッチスクリーン、特にタッチスクリーンの電極を、プレートの導電性領域との容量性カップリングの手段により、作動させること、および
ｃ．タッチスクリーン上でタッチすること
を含む方法に関する。
【００６２】
この方法により、有利には、タッチスクリーンまたはタッチスクリーンを有するデバイスと、送信および／または受信デバイス間でデータを伝送し、データ交換を、一方向または双方向で行うことができる。接触イベントは、好ましくは、データ処理システムの動作に割り当てられるか、またはこの動作によりトリガーされる。この動作は、特に、ネットワーク化されていないデータ処理システムに、および、特に好ましくは、ネットワーク化されたデータ処理システムに適用される。動作は、システム特有の、またはシステムおよびアプリケーション関連のものであり、例えば、限定するものではないが、アプリケーションの起動および／または終了、数値および／またはテキストの変更、グラフィックの操作、データセットの変更またはデータへのアクセスの獲得、および／または情報関連サービスを含む。
【００６３】
以下の記載は、本発明を、図面を例として説明するものであり、本発明を限定するものではない。
図１は、好ましいシステムを示す。
図２ＡおよびＢは、デバイスとデバイスの間の相互作用を示す。
図３は、プレートの断面図を示す。
図４は、デバイス中に分散した多くのセンサーを有する送信および受信デバイスを示す。
図５は、プレート上に配置された多くの導電性領域を有するシステムを示す。
図６ＡおよびＢは、一方向および双方向のデータ交換を示す。
図７は、被覆層を有する好ましい送信および／または受信デバイスを示す。
図８は、好ましいデータ交換を示す。
図９は、データ交換の好ましいシーケンスを示す。
【００６４】
図１は、好ましいシステムを示す。このシステムは、タッチスクリーン２を有するデバイス１、ならびに、少なくとも１つの導電性領域５を有するプレート４を有する送信および／または受信デバイス３を含む。導電性領域５は、好ましくは、パターン化されている、即ち、領域５がプレート４を完全に覆わないように、プレート４の場所ごとに施されている。領域５は、好ましくは、電子制御６用の制御ユニット（示していない）に接続されている。プレート４は、好ましくは、容量性カップリングが、電気的にアクティブ化されている領域５およびタッチスクリーン２の間に生じるように、動作可能なようにタッチスクリーン２に接続されており、データ交換は、タッチスクリーン２と送信および／または受信デバイス３の間、具体的には導電性領域５（両印で示されている）の間で行われる。
【００６５】
図２Ａおよび図２Ｂは、デバイス１とデバイスの間の好ましい相互作用を示す。送信および／または受信デバイス３は、デバイス１またはタッチスクリーン２と、それぞれ、いずれの配向においても相互作用することができる。送信および／または受信デバイス３上でのタッチスクリーン２の位置決めを単純化するために、デバイス１を、送信および／または受信デバイス３に、またはその上に所定の配向で持って行くだけでよいようにする、位置決め手段を有し得る。相互作用のために、タッチスクリーン２のみが、デバイス３または導電性領域５を有するプレート４の近辺に、またはそれと接触するように移動される。タッチスクリーン２と送信および／または受信デバイス３の間のデータ交換は、一方向または双方向で行うことができる。送信および／または受信デバイス３は、送信および／または受信手段８（示していない）が組み込まれる開口部７または凹部を有し得る。
【００６６】
図３は、好ましい態様のプレート４の断面図を示す。プレート４は、好ましくは、導電性領域５および開口部７を有する。領域５は、パターン化されており、即ち、プレート４上の場所ごとに配置されている。その中に送信および／または受信手段８が挿入される開口部７が備えられている。しかしながら、プレート４は、送信および／または受信手段８を挿入する凹みを有するだけであることもまた有利である。さらに、本発明においてキャリア、基材または基材層とも称されるプレート４が開口部７を有し、センサーが、開口部７の背後に配置される、即ち、開口部７の領域５と対向する側に配置される場合が有利であり得る。好ましくは光電気センサーであり得る送信および／または受信手段８の手段により、タッチスクリーン２からのシグナルは、送信および／または受信デバイス３に送ることができる。シグナルは、例えば、光学的、聴覚的または他のシグナルであってもよい。
【００６７】
図４は、多くの受信手段８を有する送信および受信デバイス３の変形の例を示す。この場合に、制御ユニット１０は、導電体トラック９を介して、タッチスクリーン２（示していない）との作動接続に関与する導電性領域５に接続されている。さらに、システムは、他の受信手段８を介して、タッチスクリーンを有するデバイス１からシグナルを受信することができる。受信手段８は、受信シグナルを処理する評価ユニット１１に接続されている。受信シグナルは、最終的に制御ユニット１０に送られる利用可能なデータを取得するために、さらに評価ユニット１１により処理される。示した構成のシステムは、タッチスクリーンを有するデバイス１（示されていない）と通信するために、さらなる受信手段８とは別に、別の送信手段８を有する。送信および／または受信手段８は、送信および／または受信デバイス３の異なる場所に組み入れることができる。好ましい送信および／または受信手段８は、容量性および光学的方法および／またはブルートゥース、ＷＬＡＮまたは赤外線通信からなる群から選択される短距離無線技術（ＷＰＡＮ−無線パーソナルエリアネットワーク）の手段を含む。さらに、抵抗性センサー、誘導繊細、差動変圧器、誘導トラベルセンサー、渦電流センサー、誘導近接スイッチ、磁場センサー、磁気弾性センサー、容量センサー、圧電性センサー、光電子センサーまたは電気化学センサーもまた、受信手段として用いられる。
【００６８】
図５は、各々の１つの導電体トラック９を介して多くの導電性領域５をアクティブにする制御ユニット１０からなるシステムのさらなる構造を示す。これは、タッチスクリーン２（示していない）との多くの作動接続を確立するオプションを提供し、その結果、例えば、高速データ伝送のため、タッチスクリーン２への多くのシグナルの平行伝送が、行われる。さらに。評価ユニット１１に接続される受信手段８が、示されている。この構成例におけるシステムは、タッチスクリーンを含むデバイス１（示していない）との双方向通信を可能にする。
【００６９】
図６Ａおよび図６Ｂは、一方向および双方向データ交換を示す。データ交換は、破線矢印により示されている。タッチスクリーン２またはタッチスクリーンを有するデバイス１が、送信および／または受信デバイス３に動作的に接続されるとすぐに、タッチスクリーン２と送信および／または受信デバイス３のプレート４上の導電性領域５の間でデータ交換を行うことができる。この場合、好ましくは、接触イベントがトリガーされた場合、データは、領域５からタッチスクリーン２に送られ、デバイス１の評価ユニット１１（示していない）が、受信シグナルをデータに変換する。さらに、有利には、データは、タッチスクリーン２から送信および／または受信デバイス３に送られる。このために、送信および／または受信手段８は、タッチスクリーン２により送られるシグナルを受信する開口部７中に組み込まれることができ、シグナルをデータに変換する評価ユニット１１（示されていない）に送る。
【００７０】
図７は、被覆層１２を有する好ましい送信および／または受信デバイス３を示す。送信および／または受信デバイス３は、プレート４を有し、その上に少なくとも１つの導電性領域５が存在する。領域５を有するプレート４の上には、さらに層を、被覆層１２の形態で施すことができる。被覆層１２は、プレート４および領域５を、ほこりや外部から加わる力から保護する。領域５は、導電体トラック９を介して、好ましくは、領域５の電子制御を行う制御ユニット１０に接続されている。制御ユニット１０は、好ましくは、受信シグナルをデータに変換する評価ユニット１１または評価電子機器に接続される。評価ユニット１１および制御ユニット１０は、電源１３に接続されている。これは、内部または外部電源１３であってもよい。
【００７１】
図８は、好ましいデータ交換を示す。タッチスクリーン２またはタッチスクリーンを有するデバイス１と送信および／または受信デバイス３の間で、一方向または双方向データ交換を行うことができる。このために、送信および／または受信デバイス３は、導電性領域５（図に示していない）とは別に、図面の左側に示される、シグナルをタッチスクリーン２に送る送信手段８、および図面の右側に示される、タッチスクリーン２からのシグナルを受信することができる受信手段８を有する。シグナルは、例えば、プレート４（示していない）の下に配置されるセンサーの形態である受信手段８により受信することができる。センサーは、タッチスクリーン２から受信したシグナルをデータに変換する評価ユニット１１に接続される。
【００７２】
図９は、データ交換の好ましいシーケンスを示す。送信および／または受信デバイスと接触するように移動されたタッチスクリーン、またはタッチスクリーンを有するデバイスが存在する場合、データ交換を、タッチスクリーンとデバイス間で行うことができる。この目的のために、送信および／または受信デバイスはアクティブ化され、制御ユニットがデータを生成し、または、データ処理システムからのデータを受信する。データは、直列／並列のデータストリームに変換され、導電性領域が、電気的にアクティブ化され、データをタッチスクリーンに送信することが可能になる。電気的にアクティブ化された領域は、スクリーン上で接触イベントを生成し、これは、順次、評価ユニットにより評価されるか、または接触イベントからデータを生成する対応するアプリケーションに送られる。データを解釈することにより、アプリケーションは、例えば、動作を実行することができる。動作はまた、データの送信、例えば、タッチスクリーンを有するデバイスからの送信および／または受信デバイスへの承認データの送信を含む。
【符号の説明】
【００７３】
１  …  タッチスクリーンを有するデバイス
２  …  タッチスクリーン
３  …  送信および／または受信デバイス
４  …  プレート
５  …  導電性領域
６  …  電子制御
７  …  開口部
８  …  送信および／または受信手段
９  …  導電体トラック
１０  …  制御ユニット
１１  …  評価ユニット
１２  …  被覆層
１３  …  電源
【図１】
2014519668.tif 000002
【図２Ａ】
2014519668.tif 000003
【図２Ｂ】
2014519668.tif 000004
【図３】
2014519668.tif 000005
【図４】
2014519668.tif 000006
【図５】
2014519668.tif 000007
【図６Ａ】
2014519668.tif 000008
【図６Ｂ】
2014519668.tif 000009
【図７】
2014519668.tif 000010
【図８】
2014519668.tif 000011
【図９】
2014519668.tif 000012
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
タッチスクリーンを有するデバイスと、送信および／または受信デバイスとの間でデータを伝送するためのシステムであって、
タッチスクリーンが、容量性スクリーンであり、デバイスが、少なくとも１つの導電性領域を有する少なくとも１つのプレートを有し、プレートは、動作可能なようにタッチスクリーンに接続され、少なくとも１つの領域がアクティブ化される、システムを含むデータ伝送のための方法であり、
下記工程：
ａ．導電性領域を有するプレートにタッチスクリーンを近づけること、
ｂ．デバイスから電気信号をタッチスクリーンに送ること、即ち、容量性タッチスクリーン、特にタッチスクリーンの電極を、プレートの導電性領域との容量性カップリングの手段により、作動させること、および
ｃ．タッチスクリーン上でタッチすること
を含む、方法。
【請求項２】
タッチスクリーンを有するデバイスと、送信および／または受信デバイスとの間のデータ伝送システムであって、タッチスクリーンが、容量性スクリーンであり、デバイスが、少なくとも１つの導電性領域を有する少なくとも１つのプレートを有し、
プレートが、動作可能なようにタッチスクリーンに接続され、少なくとも１つの領域が、アクチベートされることを特徴とするシステム。
【請求項３】
送信および／または受信デバイスが、少なくとも１つの送信手段、受信手段、１つの制御ユニットおよび／または評価ユニットを含むことを特徴とする、請求項２に記載のシステム。
【請求項４】
領域を有するプレートが、非導電性層によって被覆されることを特徴とする、請求項２または３に記載の入力手段。
【請求項５】
デバイスが、少なくとも：
ａ．１つの導電体トラック、
ｂ．１つの導電性領域、
ｃ．導電性領域を電気的に制御するための１つの制御ユニット、
ｄ．１つの内部または外部電源
ｅ．受信手段、および／または
ｆ．１つの評価ユニット
を含み、
導電性の領域が、少なくとも１つの導電体トラックを介して、制御ユニットに電気的に接続されることを特徴とする、請求項２〜４のいずれかに記載のシステム。
【請求項６】
制御ユニットが、少なくとも１つのデジタルおよび／またはアナログ回路を含み、制御ユニットは、１つまたはそれ以上の要素からなることを特徴とする、請求項２〜５のいずれかに記載のシステム。
【請求項７】
制御ユニットのデジタル回路が、電気的、電気機械的、機械的回路またはそれらの組み合わせであることを特徴とする、請求項２〜６のいずれかに記載のシステム。
【請求項８】
導電性領域が、プレート上に、個々に、一対で、または機能的な群として配置されることを特徴とする、請求項２〜７のいずれかに記載のシステム。
【請求項９】
プレートが開口部を有し、センサーが該開口部と一体化されか、または該開口部の後方に配置されることを特徴とする請求項２〜８のいずれかに記載のシステム。
【請求項１０】
タッチスクリーンを有するデバイスによって伝送されるデータが、デバイスのセンサーによって受信される信号に変換され、評価ユニットの手段によってデータに再変換されることを特徴とする、請求項２〜９のいずれかに記載のシステム。
【請求項１１】
データの伝送が、一方向または双方向であることを特徴とする、請求項２〜１０のいずれかに記載のシステム。
【請求項１２】
入力および／または出力システムが、そのデバイスに、および／またはそのデバイスを含むデバイスに、一体化されていることを特徴とする、請求項２〜１１のいずれかに記載のシステム。
【請求項１３】
システムが、他のデータ伝送施設および／またはデータ処理システムと、データ通信するための手段を有することを特徴とする、請求項２〜１２のいずれかに記載のシステム。
【請求項１４】
デバイス自身が、データ処理システムであり、および／またはデータ処理システムに接続されることを特徴とする、請求項２〜１３のいずれかに記載のシステム。
【請求項１５】
タッチスクリーンを有するデバイスと、送信および／または受信デバイスとの間の一方向または双方向のデータ伝送用の請求項２〜１４のいずれかに記載のシステムの使用であって、
容量性カップリングが、デバイスとタッチスクリーンとの間に生じ、このカップリングにより、タッチスクリーンを有するデバイス上でのデータ入力が行われることを特徴とする、システムの使用。
【請求項１６】
システムが、許可および／または認証のために使用される、請求項１５に記載の使用。
【請求項１７】
ゲーム用の図、識別、顧客カード、エンジン始動ロック、カーシェアリング／自転車シェアリング用アクセス許可、アクセス許可、乱数発生器、ＩＣカード、車のキー、キー、トランプ、コレクション用カード、物流、物の追跡、デジタル分類体系、カテゴリー化、デジタルファイルカードシステム、入り口、入場券、現実的にも仮想的にも閉じた領域へのアクセス、仮想内容、マーケティング用途、カスタマー制限、ラッフルおよびくじ引き、会員身分証明書、定期券、支払い用途、信頼性のある証明書、証明書、偽造防止装置、コピー防止、署名、配達受領書、コンピュータゲーム内の品物、音楽／ビデオ／ｅ−ブックダウンロード、ボーナススタンプ／プログラム、デバイスコントローラーまたはギフト券を含む群から選択される用途のための、請求項１５または１６に記載の使用。
【国際調査報告】
2014519668.tif 000013
2014519668.tif 000014
2014519668.tif 000015
2014519668.tif 000016